【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
シートを挟持して搬送する１対の回転体の一方に接触して該回転体に付着した塵埃を除去し、該塵埃を上部に堆積させる塵埃除去手段と、
前記塵埃除去手段の前記塵埃が堆積される部分を覆うカバー手段と、
を備え、
前記カバー手段は、前記塵埃除去手段に対向した部分が開口し、且つエアを流れる集塵通路と、前記集塵通路を通ってきた塵埃が集められる塵埃貯蔵スペースとを有していることを特徴とする塵埃除去装置。
【請求項２】
前記塵埃除去手段は、上下方向に配列された前記１対の回転体の内、上位の回転体に付着した塵埃を除去することを特徴とする請求項１に記載の塵埃除去装置。
【請求項３】
前記塵埃除去手段は、シート搬送方向に沿った断面形状がＶ字状に形成された板状の当接部材であることを特徴とする請求項１又は２に記載の塵埃除去装置。
【請求項４】
前記塵埃除去手段は、マイラー製のシート状の当接部材であることを特徴とする請求項１乃至３のいずれか１項に記載の塵埃除去装置。
【請求項５】
前記カバー手段は、固定部材に取り外し可能に設けてあることを特徴とする請求項１に記載の塵埃除去装置。
【請求項６】
前記塵埃貯蔵スペースは、塵埃を取り出す取出口を有していることを特徴とする請求項１に記載の塵埃除去装置。
【請求項７】
シートに画像を形成する画像形成手段と、
請求項１乃至６のいずれか１項に記載の塵埃除去装置と、
を備えたことを特徴とする画像形成装置。
【請求項８】
シートに画像を形成する画像形成手段と、
前記シートの斜行取りをして前記シートを前記画像形成手段に供給するレジストローラ対と、
請求項１乃至６のいずれか１項に記載の塵埃除去装置と、を備え、
前記塵埃除去装置が塵埃を除去する１対の回転体は、前記レジストローラ対であることを特徴とする画像形成装置。
【手続補正２】
【補正対象書類名】明細書
【補正対象項目名】００１５
【補正方法】変更
【補正の内容】
【００１５】
このため、レーザービームプリンタに専用の清掃部材を装置本体の付属品として備えたり、マニュアルに定期的な清掃を行うように記載してユーザに清掃を促したりしていた。しかし、ユーザが装置本体内を清掃すると、装置本体内の部品を破損、変形させたりして清掃を確実に行えない場合がある。また、ユーザが、手や服も汚してしまうおそれがあった。
【手続補正３】
【補正対象書類名】明細書
【補正対象項目名】００１７
【補正方法】変更
【補正の内容】
【００１７】
【課題を解決するための手段】
上記目的を達成するため、本発明の塵埃除去装置は、シートを挟持して搬送する１対の回転体の一方に接触して該回転体に付着した塵埃を除去し、該塵埃を上部に堆積させる塵埃除去手段と、前記塵埃除去手段の前記塵埃が堆積される部分を覆うカバー手段と、を備え、前記カバー手段は、前記塵埃除去手段に対向した部分が開口し、且つエアを流れる集塵通路と、前記集塵通路を通ってきた塵埃が集められる塵埃貯蔵スペースとを有している。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００４２
【補正方法】変更
【補正の内容】
【００４２】
（本発明の前提となる塵埃除去装置の構成）
図１乃至図３に基づいて、本発明の前提となる塵埃除去装置５１を説明する。図１は、塵埃除去装置５１の斜視図である。図２は、図１に示す塵埃除去装置５１において、カバー部材を仮想線で示した図である。図３は、図１に示す塵埃除去装置５１において、シート搬送方向に沿った側面図である。
【手続補正８】
【補正対象書類名】明細書
【補正対象項目名】００５２
【補正方法】変更
【補正の内容】
【００５２】
（本発明の実施形態の塵埃除去装置）
図４、図５に基づいて、本発明の実施形態の塵埃除去装置５２を説明する。実施形態の塵埃除去装置５２は、本発明の前提となる塵埃除去装置５１とは、カバー部材の形状が異なっている。したがって、塵埃除去装置５２において、前記塵埃除去装置５１と同一部分については、同一符号を付して、その部分の説明を省略する。
【手続補正９】
【補正対象書類名】明細書
【補正対象項目名】００５３
【補正方法】変更
【補正の内容】
【００５３】
図４は、実施形態の塵埃除去装置５１のカバー部材（カバー手段、カバー部材）２６の外観斜視図である。図５は、図４の矢印Ａ方向から見たときの断面図である。図６は、レジストスクレイパー４によって塵埃Ｄがレジスト上ローラ１から掻き取られて堆積する様子を示す図である。図７は、エアフローによって塵埃Ｄが奥側から手前側に吹き寄せられている様子を示す図である。
【手続補正１０】
【補正対象書類名】明細書
【補正対象項目名】００６２
【補正方法】変更
【補正の内容】
【００６２】
したがって、実施形態の塵埃除去装置５２は、装置本体内を流れるエアを利用して塵埃を集塵することができるため、従来行っていたレジストスクレイパー４に付着した塵埃の除去作業をユーザが行う必要がなくなり、メンテナンスが容易になる。また、塵埃の除去作業を行う必要がなくなると、ユーザがレジストスクレイパー４を破損したり、変形したりすることがなくなる。
【手続補正１１】
【補正対象書類名】明細書
【補正対象項目名】００６４
【補正方法】変更
【補正の内容】
【００６４】
なお、本発明の前提となる塵埃除去装置５１と、本発明の実施形態の塵埃除去装置５２は、レジストローラ対１・２の塵埃を除去するようになっているが、レジスト手段としてベルト対を用いて、ベルト対（１対の回転体）の塵埃を除去するようにしてもよい。
【手続補正１２】
【補正対象書類名】明細書
【補正対象項目名】００６５
【補正方法】変更
【補正の内容】
【００６５】
【発明の効果】
本発明の塵埃除去装置は、塵埃除去手段を覆うカバー手段を備えているので、ユーザが、例えば、塵埃除去装置が備えられた装置本体内の清掃時やシートのジャム処理時に塵埃除去手段に触れることがなく、塵埃除去手段を破損、変形したりすることがなくなる。
【手続補正１３】
【補正対象書類名】明細書
【補正対象項目名】図１
【補正方法】変更
【補正の内容】
【図１】
本発明の前提となる塵埃除去装置の斜視図である。
【手続補正１４】
【補正対象書類名】明細書
【補正対象項目名】図２
【補正方法】変更
【補正の内容】
【図２】
図１に示す塵埃除去装置において、カバー部材を仮想線で示した図である。
【手続補正１５】
【補正対象書類名】明細書
【補正対象項目名】図３
【補正方法】変更
【補正の内容】
【図３】
図１に示す塵埃除去装置において、シート搬送方向に沿った断面図である。
【手続補正１６】
【補正対象書類名】明細書
【補正対象項目名】図４
【補正方法】変更
【補正の内容】
【図４】
本発明の実施形態の塵埃除去装置のカバー部材の外観斜視図である。
【手続補正１７】
【補正対象書類名】明細書
【補正対象項目名】図６
【補正方法】変更
【補正の内容】
【図６】
図４に示す塵埃除去装置において、レジストスクレイパーによって塵埃がレジスト上ローラ１から掻き取られて堆積する様子を示す図である。
【手続補正１８】
【補正対象書類名】明細書
【補正対象項目名】図７
【補正方法】変更
【補正の内容】
【図７】
図４に示す塵埃除去装置において、エアフローによって塵埃が奥側から手前側に吹き寄せられている様子を示す図である。